(57)【要約】【課題】本発明は、茶生葉を素早く、容易に取り出すことができる車載用茶生葉収容装置を提供することを課題としている。【解決手段】茶生葉を運搬するために車両の荷台へ積載し、茶生葉を取出すために側板の一部を取出口として着脱自在としたコンテナにおいて、コンテナの底板を取出口へ向けて下り傾斜させることを特徴とする車載用茶生葉収容装置。【選択図】図１
2015083477.tif 000002
【特許請求の範囲】
【請求項１】
茶生葉を運搬するために車両の荷台へ積載し、茶生葉を取出すために側板の一部を取出口として着脱自在としたコンテナにおいて、コンテナの底板を取出口へ向けて下り傾斜させることを特徴とする車載用茶生葉収容装置。
【請求項２】
前記下り傾斜の傾斜角度は５〜１５度とすることを特徴とする請求項１記載の車載用茶生葉収容装置。
【請求項３】
前記底板を通気性部材にて構成することを特徴とする請求項１または２記載の車載用茶生葉収容装置。
【請求項４】
前記側板を通気性部材にて構成することを特徴とする請求項１、２または３記載の車載用茶生葉収容装置。
【請求項５】
前記コンテナの下部に、コンテナの取出口付近を軸として昇降させる昇降手段を設けることを特徴とする請求項１、２、３または４記載の車載用茶生葉収容装置。
【発明の詳細な説明】
【技術分野】
【０００１】
本発明は、茶生葉を茶畑から製茶工場へ運ぶための車載用茶生葉収容装置に関するものである。
【背景技術】
【０００２】
茶生葉を茶畑で摘採した後、茶生葉を車両（一例としてトラックとする）へのせて製茶工場へ搬入する。摘採した茶生葉を茶袋へ収容する摘採装置の場合は、トラックの荷台へ茶生葉が入っている茶袋を山積みして、落ちないようにロープなどでしばりつけ、製茶工場に着いたら、茶袋をトラックから降ろして、茶袋から茶生葉を取り出す。摘採した茶生葉を摘採装置のコンテナへ収容する摘採装置の場合は、トラックの荷台のコンテナへ茶生葉を直接入れていた（摘採装置のコンテナとトラックの荷台に乗せるコンテナは異なり、茶生葉を入れ替える）。この場合、製茶工場では、特許文献１、２のようにホイスト等を用いて取り出したり、特許文献３のようにコンテナをのせる車両をダンプ車としたり、作業者が茶生葉を掃出し具にて掃出したりしていた。
【先行技術文献】
【特許文献】
【０００３】
【特許文献１】実開平７−５３８０号公報
【特許文献２】特開平５−３０５９８７号公報
【特許文献３】特開平８−２６０１６号公報
【発明の概要】
【発明が解決しようとする課題】
【０００４】
特許文献１、２のようにホイスト等を設置するのは、困難であった。一般的な茶農家では、特許文献３のようなダンプ車を所有している農家は少なかった。また、ダンプ車は、もともと土砂、砂利等の土木及び建築用資材の運搬を目的とする荷台を傾斜可能に利用しており、茶生葉は、摘採されてトラック荷台上のコンテナが規定容量に達するまでの間、及び加工工場まで搬送される間に、茶生葉は自重及び振動により圧縮され、コンテナの底板と側板を構成する部材とに圧接し、一般的に普及しているダンプ車の傾斜範囲では取り出せない問題があった。
【０００５】
特許文献１、２、３のような設備があったとしても、茶生葉を取り出すことができない場合は、作業者が茶生葉を掃出し具にて掃き出さなければならなかった。これは、とても重労働であり、茶生葉を傷つける恐れがあった。茶生葉を放置すると、茶生葉自身の呼吸熱により変質してしまうため、素早く製茶工場へ搬入する必要があった。
【０００６】
本発明は、茶生葉を素早く、容易に取り出すことができる車載用茶生葉収容装置を提供することを課題としている。
【課題を解決するための手段】
【０００７】
本発明は、上記課題を解決するため、以下のような手段をとる。
本発明の第１手段は、茶生葉を運搬するために車両の荷台へ積載し、茶生葉を取出すために側板の一部を取出口として着脱自在としたコンテナにおいて、コンテナの底板を取出口へ向けて下り傾斜させることを特徴とする車載用茶生葉収容装置。
本発明の第２手段は、前記第１手段において、前記下り傾斜の傾斜角度は５〜１５度とする。
本発明の第３手段は、前記第１または２手段において、前記底板を通気性部材にて構成する。
本発明の第４手段は、前記第１、２または３手段において、前記側板を通気性部材にて構成する。
本発明の第５手段は、前記第１、２、３または４手段において、前記コンテナの下部に、コンテナの取出口付近を軸として昇降させる昇降手段を設ける。
【発明の効果】
【０００８】
本発明により、茶生葉の取出しが容易となる。本発明の第３手段により、車両走行中にコンテナの底板より自然送風をすることができ、茶生葉の変質を防ぐことができる。本発明の第４手段により、車両走行中にコンテナの側板より通気することができ、茶生葉の変質を防ぐことができる。本発明の第３または４手段により、茶生葉より蒸散される水分を発散でき、水分による底面及び側面への茶葉の貼り付きを抑制し、より一層取出しを容易にすることができる。また、摘採装置のコンテナから茶生葉を入れ替えるときに、茶生葉の舞い上がりを抑えることができる。本発明の第５手段により、底板の下り傾斜をさらに大きくすることができ、確実に取出しをすることができる。
【図面の簡単な説明】
【０００９】
【図１】図１は車載用茶生葉収容装置をトラック荷台に載せた時の実施方法を示した斜視図である。（実施例１）
【図２】図２は車載用茶生葉収容装置の一例を示した側面図である。（実施例１）
【図３】図３は車載用茶生葉収容装置の一例を示した側面図である。（実施例１）
【図４】図４は車載用茶生葉収容装置の昇降手段の一例を示した平面図である。（実施例１）
【図５】図５は車載用茶生葉収容装置の昇降手段の動作を示した説明図である。（実施例１）
【図６】図６は車載用茶生葉収容装置を車載した時の実施方法を示した斜視図である。（実施例２）
【発明を実施するための形態】
【００１０】
摘採装置の種類によって、茶生葉を直接収容する場合を実施例１、茶袋に収容した茶生葉を収容する場合を実施例２として説明する。
【実施例１】
【００１１】
図１はトラック荷台１Ａへ車載用茶生葉収容装置２を設置しており、コンテナ２Ａの中に、茶生葉１０を直接収容した実施例１である。コンテナ２Ａはほぼ直方体であり、四方の側板３と底板４により構成され、上面は開放されている。本実施例では上面が開放されているが、閉鎖されていても、カバーで覆われていても構わない。本実施例では、側板３および底板４は多孔質材や網などの通気性部材で構成されている。また、通気性部材は、側板３および底板４の一部でも全部でも問わない。また、側板３および底板４は、通気性部材でなくても構わない。側板３の一部（本実施例では、トラック１の進行方向の後ろ）を取出口３Ａとし、その部分の取出側板３Ｂを留め具７により着脱自在とする。本実施例では、取出側板３Ｂを上下２分割し、着脱するが、取出口３Ａの形態はこれに限らない。本実施例では、側板３をそれぞれ固定具６で接続しており、不使用時には、固定具６の固定を解除し、ヒンジ９部分で折り曲げて、小さくすることができる。底板４は、水平に対して取出口３Ａへ向かって下り傾斜しており、その傾斜角度は５〜１５度程度が適当である。
【００１２】
本実施例では、コンテナ２Ａの底板４の下に昇降手段１１を設けている。この昇降手段１１は、取出口３Ａ付近に設けた回動軸１２を中心として、コンテナ２Ａを上下昇降させ、コンテナ２Ａを傾ける。この昇降手段１１はアクチュエータにより駆動し、本実施例では油圧シリンダ１３を用いている。油圧シリンダ１３をのばすと、アーム１６やプレート１８が図５のように動き、図３のようにコンテナ２Ａを傾ける。本実施例の車載用茶生葉収容装置２自体に昇降手段１１を設けなくても、製茶工場のホイスト等を利用したり、ダンプ車にのせたりすることも可能である。
【００１３】
車載用茶生葉収容装置２のフレームとトラック荷台１Ａとは、固定具５により接続されており、茶生葉を収容するときには、車載用茶生葉収容装置２とトラック荷台１Ａとは固定し、不使用時には、固定を解除して車載用茶生葉収容装置２をトラック荷台１Ａから降ろすことができる。
【００１４】
茶畑にて茶生葉を収容するときおよび製茶工場へ搬送する間は、昇降手段１１を駆動しない状態で茶生葉１０を収容する。側板３、底板４を通気性部材で構成することにより、茶生葉１０より蒸散される水分を発散でき、水分による側板３及び底板４への茶生葉１０の貼り付きを抑制する。また、茶生葉１０の呼吸熱も発散することができ、茶生葉１０の変質も抑制することができる。特に、底板４は通常時に傾斜しているため、コンテナ２Ａ内へ送風されやすくなっている。茶畑にて摘採装置のコンテナからコンテナ２Ａへ茶生葉を入れ替えるときには、コンテナ２Ａの側板３及び底板４が通気性部材でないと、空気の抜けるところがなく、空気が上へ抜けようとして茶生葉を上へ舞い上げてしまうが、コンテナ２Ａの側板３及び底板４の一部を通気性部材にすると、茶生葉の舞い上がりを抑えることができる。
【００１５】
製茶工場へ到着し、茶生葉１０を取り出すときには、取出側板３Ｂを取り外す。取出側板３Ｂを取り外すのみでも、茶生葉１０は自由落下する。その後、昇降手段１１を駆動することにより、コンテナ２Ａは図３のように傾斜し、コンテナ２Ａ内の茶生葉１０はほとんど自由落下することができる。これは、コンテナ２Ａに収容された茶生葉１０は、摘採後の規定容量に達するまでの間、及び搬送される間に圧縮され、取出口３Ａに向けて下り傾斜となる底板４の効果により取出口３Ａに近い部分の収容容積が大きいため、硬く圧縮され、他方に近づくにつれて、圧縮される力が小さくなる。このことにより、圧接された面の摺動抵抗が不均一となり、底板４を傾斜させることにより、取出口３Ａの他端が移動しやすくなり、その重量により硬く圧接された取出口３Ａ付近も取出し容易となる。
【実施例２】
【００１６】
図６は、コンテナ２Ａの中に、茶生葉１０が収容された茶袋２０を収容した実施例２である。この場合も、車載用茶生葉収容装置２は実施例１と同様である。茶畑にて、茶袋２０をコンテナ２Ａへ収容し、製茶工場では茶袋２０を取り出す。茶袋２０をトラック荷台１Ａへ直接載せる場合と比べると、本実施例の車載用茶生葉収容装置２の場合は、側板３があるため、ロープなどで縛る必要がなく、搬送途中に落下する心配がない。また、茶袋２０を取り出すときには、底板４が傾斜することにより取り出しやすい。
【符号の説明】
【００１７】
１    トラック
１Ａ    トラック荷台
２    車載用茶生葉収容装置
２Ａ    コンテナ
３    側板
３Ａ    取出口
３Ｂ    取出側板
４    底板
５    固定具
６    固定具
７    留め具
８    ヒンジ
９    フレーム
９Ａ    コンテナフレーム
１０    茶生葉
１１    昇降手段
１２    回動軸
１３    油圧シリンダ
１４Ａ、１４Ｂ    軸
１５Ａ、１５Ｂ    軸
１６    アーム
１７    軸
１８    プレート
１９    緩衝材
２０    茶袋
【図１】
2015083477.tif 000003
【図２】
2015083477.tif 000004
【図３】
2015083477.tif 000005
【図４】
2015083477.tif 000006
【図５】
2015083477.tif 000007
【図６】
2015083477.tif 000008